(57)【要約】【課題】天井等の被取付部に取り付ける際の作業性を向上させることができ、且つ灯具の回動範囲を十分に確保することができる照明器具を提供する。【解決手段】照明器具は、光を照射する灯具と、照射方向に対して垂直な方向を回転軸として灯具を回動自在に保持する枠部材と、を備えている。灯具は、光を発光する光源モジュールと、光源モジュールの周囲を覆って保持する筒状の光源ホルダと、光源モジュールに電力を供給する電源ユニットと、を有している。光源ホルダは、一方の端面に開口面が形成され、他方の端面に閉塞面部が設けられた筒状を成し、閉塞面部に並行な断面の外周が、枠部材の内周よりも小さい寸法で構成され、且つ照射方向に対して垂直な方向を回転軸として、枠部材の内面側に回動自在に保持されている。電源ユニットは、閉塞面部の外面側に配置されている。【選択図】図１
2020119698.tif 000002
【特許請求の範囲】
【請求項１】
光を照射する灯具と、
照射方向に対して垂直な方向を回転軸として前記灯具を回動自在に保持する枠部材と、を備え、
前記灯具は、
光を発光する光源モジュールと、
前記光源モジュールの周囲を覆って保持する筒状の光源ホルダと、
前記光源モジュールに電力を供給する電源ユニットと、を有し、
前記光源ホルダは、一方の端面に開口面が形成され、他方の端面に閉塞面部が設けられた筒状を成し、前記閉塞面部に並行な断面の外周が、前記枠部材の内周よりも小さい寸法で構成され、且つ照射方向に対して垂直な方向を回転軸として、前記枠部材の内面側に回動自在に保持されており、
前記電源ユニットは、前記閉塞面部の外面側に配置されている、照明器具。
【請求項２】
前記灯具の前記回転軸は、軸方向を正対して平面視した場合に、前記枠部材の左右方向の中心から偏心させた位置に配置されている、請求項１に記載の照明器具。
【請求項３】
前記電源ユニットは、前記灯具が垂直に保持されている場合に、前記回転軸と鉛直方向に直交する垂直線上に位置するように配置されている、請求項２に記載の照明器具。
【請求項４】
前記灯具は、前記光源ホルダの前記閉塞面部の外面側にヒートシンクを備えており、
前記電源ユニットは、前記閉塞面部の外面側において、前記ヒートシンクに並設させて配置されている、請求項１〜３のいずれか一項に記載の照明器具。
【請求項５】
前記ヒートシンクには、前記光源モジュールから発生する熱を放熱する複数のフィンを有しており、
複数のフィンは、前記閉塞面部と直交する向きに延伸させて設けられている、請求項４に記載の照明器具。
【請求項６】
前記灯具は、一方の方向に回動させると前記ヒートシンクの前記フィンの一部が前記枠部材に当接して回動が規制される構成である、請求項５に記載の照明器具。
【請求項７】
前記フィンには、前記枠部材に当接する部分に切り欠き状のフィン凹部が形成されている、請求項６に記載の照明器具。
【請求項８】
前記枠部材には、前記フィンが当接する部分に切り欠き部が形成されている、請求項６に記載の照明器具。
【請求項９】
板材を湾曲させて形成され、一端が前記枠部材の外側面に取り付けられて外方へ向かって突き出す取付ばねと、
前記取付ばねの突き出した先端に取り付けられた端子台と、を更に有している、請求項１〜８のいずれか一項に記載の照明器具。
【請求項１０】
前記端子台は、電源線又は信号線を取り付ける接続口が下方に向くように、前記取付ばねの先端に取り付けられている、請求項９に記載の照明器具。
【請求項１１】
前記枠部材には、端子台が取り付けられている、請求項１〜８のいずれか一項に記載の照明器具。
【発明の詳細な説明】
【技術分野】
【０００１】
本発明は、天井等の被取付部に取り付けられる照明器具に関するものである。
【背景技術】
【０００２】
従来、天井等の被取付部に形成された埋込穴に挿入される照明器具が知られている。例えば特許文献１には、ダウンライトから成る照明器具が開示されている。この照明器具は、灯具と、灯具を回動自在に保持する円筒状の枠部と、枠部の外側面に取り付けられて外方へ向かって突き出す取付ばねと、灯具に電力を供給する点灯装置と、枠部と点灯装置とを連結する点灯装置固定部材と、を備えた構成である。灯具は、光を発光する光源ユニットと、光源ユニットを内部に収容して保持する光源ホルダと、を有している。光源ホルダは、外側面に一対のホルダ側連結部が形成されており、ホルダ側連結部が連結部材によって枠部に回動自在に連結されている。つまり、灯具は、枠部に対し、ホルダ側連結部に取り付けた連結部材を回転軸として回動させることができる。
【先行技術文献】
【特許文献】
【０００３】
【特許文献１】特開２０１７−１５７５２２号公報
【発明の概要】
【発明が解決しようとする課題】
【０００４】
特許文献１の照明器具は、例えば天井に設置する場合において、点灯装置を天井に形成された埋込穴から挿入し天井裏に押し込んで設置した後、当該埋込穴に灯具を嵌め込んで固定される構成である。しかし、この照明器具では、天井裏に存在するダクト又は梁等の障害物に点灯装置が衝突して移動を遮られたまま押し込まれると、点灯装置固定部材を介して灯具及び取付ばねに応力が作用するので、灯具の取付状態が不安定になるおそれがある。これを解決する手段として、点灯装置を灯具に設ける構成も考えられるが、灯具を回動させる際に点灯装置が妨げとなり、回動範囲が制限されるおそれある。
【０００５】
本発明は、上記のような課題を解決するためになされたもので、天井等の被取付部に取り付ける際の作業性を向上させることができ、且つ灯具の回動範囲を十分に確保することができる、照明器具を提供することを目的とする。
【課題を解決するための手段】
【０００６】
本発明に係る照明器具は、光を照射する灯具と、照射方向に対して垂直な方向を回転軸として前記灯具を回動自在に保持する枠部材と、を備え、前記灯具は、光を発光する光源モジュールと、前記光源モジュールの周囲を覆って保持する筒状の光源ホルダと、前記光源モジュールに電力を供給する電源ユニットと、を有し、前記光源ホルダは、一方の端面に開口面が形成され、他方の端面に閉塞面部が設けられた筒状を成し、前記閉塞面部に並行な断面の外周が、前記枠部材の内周よりも小さい寸法で構成され、且つ照射方向に対して垂直な方向を回転軸として、前記枠部材の内面側に回動自在に保持されており、前記電源ユニットは、前記閉塞面部の外面側に配置されているものである。
【発明の効果】
【０００７】
本発明の照明器具によれば、光源モジュールに電力を供給する電源ユニットが、閉塞面部の外面側に配置されているので、天井裏に存在するダクト又は梁等の障害物の存在に関係なく、電源ユニットを埋込穴に挿入して天井等の被取付部に取り付けることができ、設置作業の作業性を向上させることができる。また、閉塞面部の外面側に配置された電源ユニットは、枠部材に回動自在に保持された光源ホルダの回動の妨げになることもない。よって、電源ユニットを灯具に設けた場合であっても、灯具の回動範囲を十分に確保することができる。
【図面の簡単な説明】
【０００８】
【図１】本発明の実施の形態１に係る照明器具を上面側から見た状態を示した斜視図である。
【図２】本発明の実施の形態１に係る照明器具を下面側から見た状態を示した斜視図である。
【図３】本発明の実施の形態１に係る照明器具の正面図である。
【図４】本発明の実施の形態１に係る照明器具の平面図である。
【図５】本発明の実施の形態１に係る照明器具の灯具であって、主にヒートシンクと電源ユニットを分解して示した斜視図である。
【図６】本発明の実施の形態１に係る照明器具の灯具であって、主に光源ホルダを分解して示した斜視図である。
【図７】本発明の実施の形態１に係る照明器具の変形例を示した正面図である。
【図８】本発明の実施の形態１に係る照明器具の変形例を示した平面図である。
【図９】本発明の実施の形態１に係る照明器具の灯具の照射面を端子台側に向けた状態を示した正面図である。
【図１０】本発明の実施の形態１に係る照明器具の灯具の照射面を端子台側とは反対側に向けた状態を示した正面図である。
【図１１】本発明の実施の形態２に係る照明器具を上面側から見た状態を示した斜視図である。
【図１２】本発明の実施の形態２に係る照明器具の灯具の照射面を端子台側とは反対側に向けた状態を示した正面図である。
【発明を実施するための形態】
【０００９】
以下、図面を参照して、本発明の実施の形態について説明する。なお、各図中、同一又は相当する部分には、同一符号を付して、その説明を適宜省略又は簡略化する。また、各図に記載の構成について、その形状、大きさ、及び配置等は、本発明の範囲内で適宜変更することができる。
【００１０】
実施の形態１．
図１は、本発明の実施の形態１に係る照明器具を上面側から見た状態を示した斜視図である。図２は、本発明の実施の形態１に係る照明器具を下面側から見た状態を示した斜視図である。図３は、本発明の実施の形態１に係る照明器具の正面図である。図４は、本発明の実施の形態１に係る照明器具の平面図である。図５は、本発明の実施の形態１に係る照明器具の灯具であって、主にヒートシンクと電源ユニットを分解して示した斜視図である。図６は、本発明の実施の形態１に係る照明器具の灯具であって、主に光源ホルダを分解して示した斜視図である。
【００１１】
図１〜図４に示した照明器具１００は、例えば天井等の被取付部に形成された埋込穴に挿入されるダウンライト又はユニバーサルダウンライトである。この照明器具１００は、光を照射する灯具１と、照射方向に対して垂直な方向を回転軸Ａとして灯具１を回動自在に保持する枠部材２と、一端が枠部材２の外側面に取り付けられて外方へ向かって突き出す取付ばね３と、取付ばね３の突き出した先端に取り付けられた端子台４と、を有している。
【００１２】
灯具１は、例えば室内等に向かって光を照射するものである。灯具１は、照射方向に対して垂直な方向を回転軸Ａとして枠部材２に回動自在に保持されている。灯具１は、図５及び図６に示すように、光源モジュール１０と、レンズ１１と、光源ホルダ１２と、ヒートシンク１３と、電源ユニット１４と、を有している。
【００１３】
光源モジュール１０は、光を発光するものである。光源モジュール１０は、図６に示すように、発光基板１０ａと、ソケット１０ｂと、を有している。発光基板１０ａは、発光素子が実装された基板である。発光素子は、例えばＣＯＢ（Ｃｈｉｐ  Ｏｎ  Ｂｏａｒｄ）−ＬＥＤである。ソケット１０ｂは、発光基板１０ａを電気的及び機械的に保持して接続するものである。ソケット１０ｂは、発光基板１０ａの前面に設置されるソケット前面部１０ｃと、発光基板１０ａの背面に設置されるソケット背面部１０ｄと、を有している。ソケット前面部１０ｃは、開口を有するリング形状を成しており、発光基板１０ａから出射された光が開口を通って照射される。ソケット背面部１０ｄは、円板状を成している。発光基板１０ａは、ソケット前面部１０ｃとソケット背面部１０ｄとよって挟持されている。
【００１４】
レンズ１１は、図６に示すように、照射側に向かって拡がる円筒状で構成され、内部に配置した光源モジュール１０の発光素子を覆うものである。レンズ１１は、発光基板１０ａから出射された光が目標の方向に照射されるように配光を制御する。レンズ１１の照射側の開口縁には、外側に向かって突出するフランジ部１１ａが設けられている。
【００１５】
光源ホルダ１２は、図５及び図６に示すように、照射側である一方の端面に開口面１２０ａが形成され、他方の端面に閉塞面部１２０ｂが設けられた円筒状を成し、光源モジュール１０とレンズ１１の周囲を覆って保持するものである。図３及び図４に示すように、閉塞面部１２０ｂの中心と開口面１２０ａの中心を結ぶ線が、光源モジュール１０の発光基板１０ａから発光された灯具１の光軸Ｃとなる。光源ホルダ１２は、図１〜図４に示すように、閉塞面部１２０ｂに並行な断面の外周が、枠部材２の内周よりも小さい寸法で構成され、且つ照射方向に対して垂直な方向を回転軸Ａとして、枠部材２の内面側に回動自在に保持されている。すなわち、灯具１は、光源ホルダ１２を回動させることによって、枠部材２に対して回動自在に構成されている。
【００１６】
図示した光源ホルダ１２は、閉塞面部１２０ｂが設けられ、照射側に向かって側面が拡がる円筒状のホルダ本体部１２０と、ホルダ本体部１２０の開口端部に取り付けられる円筒状のホルダ枠部１２１と、を有している。ホルダ本体部１２０及びホルダ枠部１２１は、金属製である。
【００１７】
図５及び図６に示すように、ホルダ本体部１２０は、閉塞面部１２０ｂに近づくほど、閉塞面部１２０ｂに平行な断面の外周の長さが小さくなるように形成されている。このような形状にすることで、照明器具１００は、光源ホルダ１２が枠部材２に干渉することなく、電源ユニット１４を備えた灯具１を回動自在に保持することができる。
【００１８】
また、ホルダ本体部１２０の開口縁には、内側に凹ませた溝部１２０ｃが形成されている。溝部１２０ｃは、ホルダ枠部１２１の内側に嵌め込まれる部分である。ホルダ本体部１２０の側面には、内部にネジ孔を有する円筒状のホルダ連結部１２０ｄが、周方向に間隔をあけて２つ設けられている。ホルダ連結部１２０ｄは、枠部材２を灯具１に取り付ける際にネジ等の連結部材５で連結するために設けられている。２つのホルダ連結部１２０ｄは、図４の一点鎖線で示すように、孔部の軸心が同一線上に位置するように、対向させて設けられている。このように構成することにより、灯具１が、２つのホルダ連結部１２０ｄに締結した連結部材５を回転軸Ａとして枠部材２に回動自在に保持される。また、閉塞面部１２０ｂには、図５に示すように、発光基板１０ａに電源を供給するための電線（図示省略）を通す電線孔１２０ｅが形成されている。光源ホルダ１２の内部に収納された光源モジュール１０は、ソケット背面部１０ｄが閉塞面部１２０ｂに取り付けられている。
【００１９】
ホルダ枠部１２１は、両端面に開口を有しており、上部の開口からレンズ１１の下端部とホルダ本体部１２０の溝部１２０ｃが挿入される。ホルダ枠部１２１の内周面には、内方に突出する環状のホルダ枠側受部１２１ａが設けられている。ホルダ枠部１２１に挿入されたレンズ１１は、フランジ部１１ａがホルダ枠側受部１２１ａに突き当たって位置決めされる。また、ホルダ枠部１２１に挿入されたホルダ本体部１２０の溝部１２０ｃは、レンズ１１のフランジ部１１ａの上面に開口縁が突き当たって位置決めされる。つまり、レンズ１１は、ホルダ枠側受部１２１ａとホルダ本体部１２０の開口縁とにフランジ部１１ａが挟持されることによって、光源ホルダ１２に保持されている。
【００２０】
ヒートシンク１３は、図５及び図６に示すように、円板状のベース部材１３１と、ベース部材１３１の上面に設けられ、光源モジュール１０から発生する熱を放熱する複数枚のフィン１３０と、を有している。ヒートシンク１３は、光源ホルダ１２の閉塞面部１２０ｂを介して光源モジュール１０から伝わった熱をベース部材１３１及びフィン１３０から空気中に放出するものである。
【００２１】
ヒートシンク１３は、例えばアルミニウム合金等の熱伝導率の高い金属で形成されている。ヒートシンク１３は、ベース部材１３１を介して光源ホルダ１２の閉塞面部１２０ｂの上面に着脱自在に取り付けられている。複数枚のフィン１３０は、一例として６枚設けられている。複数枚のフィン１３０は、図１及び図３に示すように、ベース部材１３１の上面であって端子台４を設けた側における概ね半分の範囲内に配置されている。複数のフィン１３０は、ベース部材１３１の上面に対して、略垂直な面を有する板状であり、当該面が灯具１の回転軸Ａに対して略垂直になるように間隔をあけて設けられている。また、フィン１３０には、灯具１を回動させた際において、枠部材２に当接する部分に切り欠き状のフィン凹部１３０ａが形成されている。実施の形態１では、一例として複数枚のフィン１３０うち中間に設けた表面積の大きい２つのフィン１３０に、フィン凹部１３０ａが形成されている。
【００２２】
なお、フィン１３０は、図示した板状でもよいし、例えば厚みを有した塊状のような形状でもよい。また、フィン１３０は、光源モジュール１０の明るさ、即ち光源モジュール１０が発する熱量によって、枚数を変更してもよいし、面積を小さくしてもよい。また、フィン１３０は、フィン凹部１３０ａが形成されていない構成でもよい。更に、ヒートシンク１３は、フィン１３０を有さない構成でもよい。このように構成することで、ヒートシンク１３は、安価に製造することができる。
【００２３】
電源ユニット１４は、図１及び図３に示すように、灯具１の回動を妨げないように、閉塞面部１２０ｂの外面側において、ベース部材１３１の上面にヒートシンク１３と並設させて配置されている。具体的には、電源ユニット１４は、ベース部材１３１の上面であって、端子台４を設けた側の反対側における概ね半分の範囲内に配置されている。これは、ヒートシンク１３が、閉塞面部１２０ｂの中心に当接するベース部材１３１の中央部において最も熱くなることを考慮して配置したものである。つまり、ヒートシンク１３からの熱の影響を受け難いベース部材１３１の中央部から外れた箇所に電源ユニット１４を配置したものであり、電源ユニット１４の製品寿命を延ばすことができる。
【００２４】
電源ユニット１４は、図５に示すように、電源ケース１４０と、内部に電源基板を収容した収容体１４１と、を有している。電源ケース１４０は、内側に収容体１４１を収容して保護するものである。電源ケース１４０は、例えば板金で形成されており、電源基板の放熱を促進させる構成とされている。電源ユニット１４は、収容体１４１に収容した電源基板が、端子台４を介して外部から供給される電力を変化させ、光源モジュール１０の発光基板１０ａに電力を供給するものである。
【００２５】
また、電源ユニット１４は、図３及び図４に示すように、回転軸Ａと鉛直方向に直交する垂直線Ｄ上に配置されている。具体的には、電源ユニット１４は、図４に示すように、灯具１が回動されずに垂直な位置にあるとき、灯具１の中心である光軸Ｃよりも一点鎖線で示した回転軸Ａであるホルダ連結部１２０ｄ寄りに配置されている。灯具１が垂直な位置にあるとは、照明器具１００を天井等の被取付面に取り付けたときに被取付面に対して灯具１が垂直方向であり、光軸Ｃが垂直方向にあることをいう。
【００２６】
また、電源ユニット１４は、図３に示すように、灯具１が垂直な位置にあるときに垂直線Ｄ寄り、即ちホルダ本体部１２０のホルダ連結部１２０ｄに締結される連結部材５寄りに配置される。このように構成することで、電源ユニット１４の重心を、例えば光軸Ｃと垂直線Ｄとの間に配置することができる。つまり、ヒートシンク１３よりも重量のある電源ユニット１４の重心を回転軸Ａに近づけることができ、灯具１が垂直な位置にあるときに、当該灯具１を安定させて保持することができる。
【００２７】
また、光源モジュール１０の発光基板１０ａは、閉塞面部１２０ｂの中心に配置される。そのため、ヒートシンク１３のベース部材１３１の中心付近（図３のＢ部）が、光源モジュール１０の点灯時に高温となる。つまり、照明器具１００は、電源ユニット１４をベース部材１３１の中心よりも回転軸Ａである連結部材５寄りに配置することにより、電源ユニット１４にベース部材１３１からの熱が伝わり難くすることができる。
【００２８】
また、電源ユニット１４と光源モジュール１０は、閉塞面部１２０ｂに形成された電線孔１２０ｅに通した出力ケーブル（図示省略）で、電気的に接続されている。この照明器具１００では、電源ユニット１４が閉塞面部１２０ｂの上面に取り付けられたベース部材１３１の上面に設けられ、光源モジュール１０が光源ホルダ１２の内部に収納されて閉塞面部１２０ｂに取り付けられているので、出力ケーブルを短くすることができ、ノイズの影響を受け難くすることができる。収容体１４１の内部に収容された電源基板は、出力ケーブルの低圧側の電圧を入力として調光制御するため、精度よく光源の明るさを制御することができる。
【００２９】
枠部材２は、図１〜図４に示すように、取付ばね３が取り付けられる円筒状の第１枠部材２０と、第１枠部材２０の内側に配置され、灯具１を回動自在に保持する円筒状の第２枠部材２１と、で構成されている。
【００３０】
第１枠部材２０は、円筒状の側壁部２０ａと、照射側の開口縁に沿って径方向の外側に突き出す環状のフランジ部２０ｂと、を有している。側壁部２０ａには、取付ばね３の一端を嵌め込んで固定するための取付溝２０ｃが形成されている。取付溝２０ｃは、周方向に間隔をあけて３つ形成されている。フランジ部２０ｂは、灯具１が埋込穴に挿入された状態で天井の下面に当接し、埋込穴の縁部を覆うものである。
【００３１】
第２枠部材２１は、板金で構成されており、第１枠部材２０の上部に、周方向に任意の角度で保持されている。具体的には、第２枠部材２１は、照射側の開口縁に沿って径方向の外側に突き出す環状のフランジ部を有しており、該フランジ部が第１枠部材２０の側壁部２０ａにネジ等で取り付けられた枠部固定部材２０ｄによって、周方向に摺動自在に保持されている。なお、枠部固定部材２０ｄは、第１枠部材２０の周方向に間隔をあけて３つ設けられている。
【００３２】
また、第２枠部材２１は、ネジ等の連結部材５によって光源ホルダ１２のホルダ連結部１２０ｄに連結されている。灯具１は、２つのホルダ連結部１２０ｄに締結した連結部材５を回転軸Ａとして回動自在に第２枠部材２１に保持されている。照明器具１００は、灯具１を回動させることで、光の照射方向を変更させることができる。
【００３３】
取付ばね３は、図１〜図４に示すように、例えばステンレス等の弾性を有する材質であり、帯状の板材を湾曲させて形成した板ばねである。取付ばね３は、基端部が第１枠部材２０の取付溝２０ｃに取り付けられ、第１枠部材２０の径方向の外側に向かって突き出している。取付ばね３は、図５に示すように照明器具１００を側面方向から見ると、上側に向かって凸となるように弓形に反った形状である。取付ばね３は、図示例の場合、第１枠部材２０の周方向に間隔をあけて３個取り付けられており、そのうちの一つの先端に端子台４が取り付けられている。取付ばね３は、第１枠部材２０のフランジ部２０ｂと共に天井を挟持し、且つ埋込穴の内周面に当接することによって、照明器具１００を天井に固定するものである。
【００３４】
端子台４は、商用電源に接続された電線（図示せず）が接続され、商用電源から電力が供給される端子を有するものである。端子台４は、図１〜図４に示すように、電源端子台４０と、信号端子台４１と、を有している。電源端子台４０は、外部から商用電源が供給される電源線（図示せず）が接続される電源線接続口４０ａを有している。信号端子台４１は、調光器や制御ユニット等からの信号線が接続される信号線接続口４１ａを有している。
【００３５】
電源端子台４０に接続される電源線には、Ｆケーブル等の硬く曲げるのに力を要する電線が用いられる。そのため、例えば灯具１に端子台４が取り付けられている構成の場合では、灯具１を回動させて角度調整する際に、Ｆケーブルの曲げの調整作業に手間が掛かる。これに対し、実施の形態１の照明器具１００では、取付ばね３を介して端子台４が取り付けられているので、灯具１を回動させて角度調整する際に、Ｆケーブルの曲げの調整作業をする必要がなく、灯具１を容易に回動させることができる。なお、電源ユニット１４と端子台４とは、電源線に用いられるＦケーブルよりも柔軟な電線であるハーネスによって、電気的に接続されているが、灯具１を回動させて角度調整する際に、ハーネスの曲げの調整作業に手間を要することはない。
【００３６】
また、端子台４は、弓形に反った形状の取付ばね３の先端に取り付けられることで、図３に示すように、電源線接続口４０ａ及び信号線接続口４１ａが下方に向くように配置することができる。このように構成することで、電源線接続口４０ａ及び信号線接続口４１ａへ水及び埃が浸入する事態を抑制できる。
【００３７】
また、照明器具１００では、端子台４を取付ばね３の先端に取り付けて灯具１から離しているので、灯具１を回動させても、端子台４に接続される電源線及び信号線に張力がかかることがない。よって、照明器具１００は、安定した設置状態を維持できる。更に、照明器具１００は、灯具１を小型化することができるので、施工性が改善される。
【００３８】
なお、端子台４は、取付ばね３の先端に取り付ける構成に限定されず、取付ばね３の他の箇所に取り付けてもよい。この場合であっても、灯具１を回動させて角度調整する際に、Ｆケーブルの曲げの調整作業をする必要がないので、灯具１を容易に回動させることができる。
【００３９】
図７は、本発明の実施の形態１に係る照明器具の変形例を示した正面図である。図８は、本発明の実施の形態１に係る照明器具の変形例を示した平面図である。端子台４は、図７及び図８に示すように、枠部材２に取り付けてもよい。この端子台４は、第１枠部材２０の側壁部２０ａに例えばネジ等の接合部材を用いて取り付けられている。但し、端子台４を第１枠部材２０に取り付ける手段については、ネジ等の接合部材に限定されず、他の手段を用いてもよい。図７及び図８に示す場合も、灯具１を回動させて角度調整する際に、Ｆケーブルの曲げの調整作業をする必要がないので、灯具１を容易に回動させることができる。
【００４０】
次に、図１〜図６を参照しつつ、図９及び図１０に基づいて、灯具１を回動させる構成について説明する。図９は、本発明の実施の形態１に係る照明器具の灯具の照射面を端子台側に向けた状態を示した正面図である。図１０は、本発明の実施の形態１に係る照明器具の灯具の照射面を端子台側とは反対側に向けた状態を示した正面図である。
【００４１】
灯具１の照射角度は、図３に示すように、灯具１が垂直な位置にあるときを０度とする。そして、図９に示すように、灯具１の照射面が端子台４側に向いているときの照射角度を＋とし、図１０に示すように、灯具１の照射面が端子台４側とは反対側に向いているときの照射角度を−とする。なお、下記する灯具１の回動角度は、説明を分かりやすくするために一例として用いたものであり、当該数値に限定されるものではない。
【００４２】
図１〜図６に示すように、光源ホルダ１２は、ホルダ本体部１２０が閉塞面部１２０ｂに近づくほど、閉塞面部１２０ｂに平行な断面の外周の長さが小さくなるように形成されている。したがって、照明器具１００は、図３に示すように、灯具１の照射角度が０度の状態にあるとき、回転軸Ａである連結部材５よりも上方の箇所は、第２枠部材２１との隙間が大きくなるように形成されている。
【００４３】
図３に示すように、連結部材５は、回転軸Ａの軸方向を正対して平面視した場合に、端子台４の反対側寄りに配置されている。即ち、連結部材５は、枠部材２の中心線（光軸Ｃ）から端子台４の反対側に偏心させた垂直線Ｄを通る位置に配置されている。また、図４に示すように、灯具１が垂直な位置にあるとき、光源ホルダ１２の回転軸Ａとなるホルダ連結部１２０ｄは、中心線（光軸Ｃ）から偏心させた箇所に設けられ、連結部材５により第２枠部材２１の中心から偏心させた箇所に固定される。
【００４４】
実施の形態１の照明器具１００では、図９に示すように、灯具１を＋方向に回動させたとき、回動角度が３０度までは枠部材２に干渉することがなく灯具１を回動させることができる。この状態から更に灯具１を＋方向に回動させると、光源ホルダ１２が第２枠部材２１に当接して灯具１の回動が規制される。このように、実施の形態１の照明器具１００では、第２枠部材２１を灯具１の＋方向の回動の回り止めとして機能させることができる。つまり、実施の形態１の照明器具１００は、連結部材５と第２枠部材２１を用いることで、電源ユニット１４を備えた灯具１を３０度に回動させた位置で、安定して保持することができる。
【００４５】
一方、照明器具１００は、光源ホルダ１２の回転軸Ａが、軸方向を正対して平面視した場合に、枠部材２の左右方向の中心から偏心させた位置に配置されているので、図１０に示すように、灯具１を−方向に回動させたとき、＋方向の最大角である３０度よりもさらに大きい角度で−方向に回動させることができる。このとき、灯具１は、−３０度を超えて回動させ続けると、ヒートシンク１３のフィン１３０が第２枠部材２１に干渉することになるが、フィン１３０にフィン凹部１３０ａが形成されているので、灯具１の回動角度を−４５度まで回動させることができる。つまり、照明器具１００は、灯具１を−方向に回動させるときには、灯具１の回動範囲を広くすることができる。
【００４６】
そして、灯具１は、−４５度から更に−方向に回動させると、第２枠部材２１にヒートシンク１３が当接して回動が規制される。このように、実施の形態１の照明器具１００では、第２枠部材２１を灯具１の回動の回り止めとして機能させることができる。つまり、実施の形態１の照明器具１００は、連結部材５と第２枠部材２１を用いることで、電源ユニット１４を備えた灯具１を約−４５度程度に回動させた位置で、安定して保持することができる。
【００４７】
以上のように、実施の形態１に係る照明器具１００は、光を照射する灯具１と、照射方向に対して垂直な方向を回転軸Ａとして灯具１を回動自在に保持する枠部材２と、を備えている。灯具１は、光を発光する光源モジュール１０と、光源モジュール１０の周囲を覆って保持する筒状の光源ホルダ１２と、光源モジュール１０に電力を供給する電源ユニット１４と、を有している。光源ホルダ１２は、一方の端面に開口面１２０ａが形成され、他方の端面に閉塞面部１２０ｂが設けられた筒状を成し、閉塞面部１２０ｂに並行な断面の外周が、枠部材２の内周よりも小さい寸法で構成され、且つ照射方向に対して垂直な方向を回転軸Ａとして、枠部材２の内面側に回動自在に保持されている。電源ユニット１４は、閉塞面部１２０ｂの外面側に配置されている。
【００４８】
よって、照明器具１００は、光源モジュール１０に電力を供給する電源ユニット１４が、閉塞面部１２０ｂの外面側に配置されているので、天井裏に存在するダクト又は梁等の障害物の存在に関係なく、電源ユニット１４を埋込穴に挿入して天井等の被取付部に取り付けることができ、設置作業の作業性を向上させることができる。
【００４９】
また、閉塞面部１２０ｂの外面側に配置された電源ユニット１４は、枠部材２の内面側に回動自在に保持された光源ホルダ１２の回動の妨げになることもない。よって、照明器具１００は、電源ユニット１４を灯具１に設けた場合であっても、灯具１の回動範囲を十分に確保することができる。
【００５０】
また、照明器具１００では、電源ユニット１４が閉塞面部１２０ｂの外面側に取り付けられているので、電源ユニット１４と光源ホルダ１２に収容された光源モジュール１０とを接続する出力ケーブルを短くすることができ、ノイズの影響を受けに難くすることができる。
【００５１】
また、灯具１の回転軸Ａは、軸方向を正対して平面視した場合に、枠部材２の左右方向の中心から偏心させた位置に配置されている。よって、照明器具１００は、回転軸Ａを中心として、一方側の回動範囲を他方側の回転範囲よりも広げることができるので、様々な照射角度を用いた演出が可能となる。
【００５２】
また、電源ユニット１４は、灯具１が垂直に保持されている場合に、回転軸Ａと鉛直方向に直交する垂直線Ｄ上に配置されている。よって、照明器具１００は、ヒートシンク１３よりも重量のある電源ユニット１４の重心を回転軸Ａに近づけることができるので、灯具１が垂直な位置にあるときに、灯具１を安定させて保持することができる。
【００５３】
また、灯具１は、光源ホルダ１２の閉塞面部１２０ｂの外面側にヒートシンク１３を備えている。電源ユニット１４は、閉塞面部１２０ｂの外面側において、ヒートシンク１３のフィン１３０に並設させて配置されている。つまり、照明器具１００では、ヒートシンク１３からの熱の影響を受け難いベース部材１３１の中央部から外れた箇所に電源ユニット１４を配置したものであり、電源ユニット１４の製品寿命を延ばすことができる。
【００５４】
ヒートシンク１３には、光源モジュール１０から発生する熱を放熱する複数のフィン１３０を有している。複数のフィン１３０は、閉塞面部１２０ｂと直交する向きに延伸させて設けられている。つまり、照明器具１００は、灯具１を回動させる際に、フィン１３０ができるだけ枠部材２に干渉しないように構成しているので、灯具１の回動範囲を広くすることができ、使い勝手に優れている。
【００５５】
また、灯具１は、一方の方向に回動させるとヒートシンク１３のフィン１３０の一部が枠部材２に当接して回動が規制される構成である。よって、照明器具１００は、枠部材２が灯具１の一方の方向の回り止めとして機能を有すると共に、回動させた状態の灯具１を枠部材２で安定して保持することができる。
【００５６】
また、フィン１３０には、枠部材２に当接する部分に切り欠き状のフィン凹部１３０ａが形成されている。よって、照明器具１００は、フィン凹部１３０ａによって、灯具１の回動範囲を広くすることができるので、使い勝手に優れている。
【００５７】
また、照明器具１００は、板材を湾曲させて形成され、一端が枠部材２の外側面に取り付けられて外方へ向かって突き出す取付ばね３と、取付ばね３の突き出した先端に取り付けられた端子台４と、を更に有している。つまり、照明器具１００は、取付ばね３を介して端子台４が取り付けられているので、端子台４に接続される電源線がＦケーブル等の硬く曲げるのに力を要する電線であっても、灯具１を回動させて角度調整する際に、Ｆケーブル等の曲げの調整作業をする必要がなく、灯具１を容易に回動させることができる。
【００５８】
また、端子台４は、電源線又は信号線を取り付ける電源線接続口４０ａ又は信号線接続口４１ａが下方に向くように、取付ばね３の先端に取り付けられている。よって、照明器具１００は、電源線接続口４０ａ又は信号線接続口４１ａへ水及び埃が浸入する事態を抑制することができる。
【００５９】
実施の形態２．
次に、図１１及び図１２に基づいて、本発明の実施の形態２に係る照明器具１０１を説明する。図１１は、本発明の実施の形態２に係る照明器具を上面側から見た状態を示した斜視図である。図１２は、本発明の実施の形態２に係る照明器具の灯具の照射面を端子台側とは反対側に向けた状態を示した正面図である。なお、実施の形態１で説明した照明器具１００と同一の構成要素については、同一の符号を付して、その説明を適宜省略する。また、下記する灯具１の回動角度は、説明を分かりやすくするために一例として用いたものであり、当該数値に限定されるものではない。
【００６０】
図１１に示すように、実施の形態２の照明器具１０１における第２枠部材２１には、フィン１３０が当接する部分に切り欠き部２１ａが形成されている。実施の形態２の照明器具１０１では、実施の形態１の照明器具１００のように、フィン１３０にフィン凹部１３０ａが形成されていない。
【００６１】
実施の形態２の照明器具１０１も、図１２に示すように、光源ホルダ１２の回転軸Ａが、軸方向を正対して平面視した場合に、枠部材２の左右方向の中心から偏心させた位置に配置されているので、灯具１を−方向に回動させたとき、＋方向の最大角である３０度よりもさらに大きい角度で回動させることができる。このとき、灯具１は、−３０度を超えて回動させ続けると、ヒートシンク１３のフィン１３０が第２枠部材２１に干渉することになるが、第２枠部材２１に切り欠き部２１ａが形成されているので、−４５度まで回動させることができる。つまり、照明器具１０１は、灯具１を−方向に回動させる場合において、回動範囲を広くすることができる。
【００６２】
そして、灯具１は、−４５度から更に−方向に回動させると、第２枠部材２１にヒートシンク１３が当接して回動が規制される。このように、実施の形態２の照明器具１０１では、第２枠部材２１を灯具１の回動の回り止めとして機能させることができる。よって、実施の形態２の照明器具１０１は、連結部材５と第２枠部材２１を用いることで、電源ユニット１４を備えた灯具１を−４５度に回動させた位置で、安定して保持することができる。
【００６３】
以上に本発明を実施の形態に基づいて説明したが、本発明は上述した実施の形態の構成に限定されるものではない。例えば、照明器具１００及び１０１は、天井以外の被取付部に取り付けてもよい。また、図示した照明器具１００及び１０１は、一例であって、他の構成要素を含んでもよい。要するに、本発明は、その技術的思想を逸脱しない範囲において、当業者が通常に行う設計変更及び応用のバリエーションの範囲を含むものである。
【符号の説明】
【００６４】
１  灯具、２  枠部材、３  取付ばね、４  端子台、５  連結部材、１０  光源モジュール、１０ａ  発光基板、１０ｂ  ソケット、１０ｃ  ソケット前面部、１０ｄ  ソケット背面部、１１  レンズ、１１ａ  フランジ部、１２  光源ホルダ、１３  ヒートシンク、１４  電源ユニット、２０  第１枠部材、２０ａ  側壁部、２０ｂ  フランジ部、２０ｃ  取付溝、２０ｄ  枠部固定部材、２１  第２枠部材、２１ａ  切り欠き部、４０  電源端子台、４０ａ  電源線接続口、４１  信号端子台、４１ａ  信号線接続口、１００、１０１  照明器具、１２０  ホルダ本体部、１２０ａ  開口面、１２０ｂ  閉塞面部、１２０ｃ  溝部、１２０ｄ  ホルダ連結部、１２０ｅ  電線孔、１２１  ホルダ枠部、１２１ａ  ホルダ枠側受部、１３０  フィン、１３０ａ  フィン凹部、１３１  ベース部材、１４０  電源ケース、１４１  収容体、Ａ  回転軸。
【図１】
2020119698.tif 000003
【図２】
2020119698.tif 000004
【図３】
2020119698.tif 000005
【図４】
2020119698.tif 000006
【図５】
2020119698.tif 000007
【図６】
2020119698.tif 000008
【図７】
2020119698.tif 000009
【図８】
2020119698.tif 000010
【図９】
2020119698.tif 000011
【図１０】
2020119698.tif 000012
【図１１】
2020119698.tif 000013
【図１２】
2020119698.tif 000014